(57)【要約】  空気調和機の室内機は、天井に備え付けられ、空気を吸い込む吸込口及び空気を吹き出す吹出口が下面に形成されたケーシングと、ケーシングの内部に設けられ、吸込口から吸い込まれた空気を吹出口に送る室内送風機と、吸込口を囲むようにケーシングの内部において、ケーシングの下面側から上面側に延びるように設けられ、室内送風機に空気を導入するベルマウスと、ベルマウスの下面の一部を覆うようにケーシングの下面に設けられ、箱体をなしている電気品箱と、下面が電気品箱の下面より上方に位置すると共に、電気品箱の側面からベルマウス側に突出し、電気品箱の側面に沿ってベルマウスの下部から上部に向かって流れる空気を遮る遮風部と、を備える。
2021014562.tif 000002
【特許請求の範囲】
【請求項１】
天井に備え付けられ、空気を吸い込む吸込口及び空気を吹き出す吹出口が下面に形成されたケーシングと、
前記ケーシングの内部に設けられ、前記吸込口から吸い込まれた空気を前記吹出口に送る室内送風機と、
前記吸込口を囲むように前記ケーシングの内部において、前記ケーシングの下面側から上面側に延びるように設けられ、前記室内送風機に空気を導入するベルマウスと、
前記ベルマウスの下面の一部を覆うように前記ケーシングの下面に設けられ、箱体をなしている電気品箱と、
下面が前記電気品箱の下面より上方に位置すると共に、前記電気品箱の側面から前記ベルマウス側に突出し、前記電気品箱の側面に沿って前記ベルマウスの下部から上部に向かって流れる空気を遮る遮風部と、を備える
空気調和機の室内機。
【請求項２】
前記遮風部は、
前記電気品箱において、前記室内送風機の回転方向の上流側に設けられる
請求項１記載の空気調和機の室内機。
【請求項３】
前記電気品箱は、
箱本体と、
前記箱本体に蓋をする蓋部と、
前記箱本体と前記蓋部とを固定する固定具と、を有し、
前記固定具と前記遮風部とは、
上下方向において、前記固定具の下面が、前記電気品箱の下面より上方に位置すると共に、前記遮風部の下面より下方に位置し、側方において、前記固定具の前記吸込口に近い側の端部が、前記遮風部の前記吸込口に近い側の端部より前記吸込口から離れる方向に位置する
請求項１又は請求項２記載の空気調和機の室内機。
【請求項４】
前記固定具は、
前記遮風部と上下方向において対向する
請求項３記載の空気調和機の室内機。
【請求項５】
前記電気品箱は、
室内空気の温度を検知する温度検知部と、
前記温度検知部を覆う温度検知部カバーと、を更に備え、
前記温度検知部カバーは、
前記遮風部である
請求項１〜請求項４のいずれか１項に記載の空気調和機の室内機。
【請求項６】
前記ケーシングには、
前記電気品箱が複数設けられている
請求項１〜請求項５のいずれか１項に記載の空気調和機の室内機。
【発明の詳細な説明】
【技術分野】
【０００１】
本発明は、電気品箱を備える空気調和機の室内機に関する。
【背景技術】
【０００２】
従来、天井パネルと天井スラブとの間に設けられ、四方に空気を吹き出す空気調和機の室内機が知られている。このような室内機は、空気を吸い込む吸込口を囲むように、ケーシング内部に設けられたベルマウスを有する。また、このような室内機において、制御基板の格納された電気品箱は、メンテナンス性が考慮されて、最下部に設けられる。この時、電気品箱は、ベルマウスの一部を覆うことがあり、ベルマウスの内部における電気品箱に覆われた部分の通風抵抗が大きくなる。これにより、ベルマウスの内部において、通過する風量に偏りが生じる虞があった。このような室内機として、特許文献１には、Ｌ字形状に形成された電気品箱を備える室内機が開示されている。これにより、特許文献１は、電気品箱がベルマウスを覆う部分を二方向に振り分け、ベルマウスの内部を通過する風量のバランスを調整しようとするものである。
【先行技術文献】
【特許文献】
【０００３】
【特許文献１】特開２０１６−８０２０９号公報
【発明の概要】
【発明が解決しようとする課題】
【０００４】
しかしながら、特許文献１に開示された室内機は、電気品箱に接触した気流を誘導する機構を持たない。このため、特に、電気品箱に沿って強い勢いで流れる気流とベルマウスに沿って流れる気流とが合流する地点において、気流の乱れが生じうる。したがって、空気調和機の運転時に異常音を発生させる虞があった。【０００５】
本発明は、上記のような課題を解決するためになされたもので、空気調和機の運転時に発生する異常音を低減させる電気品箱を備える空気調和機の室内機を提供するものである。
【課題を解決するための手段】
【０００６】
本発明に係る空気調和機の室内機は、天井に備え付けられ、空気を吸い込む吸込口及び空気を吹き出す吹出口が下面に形成されたケーシングと、ケーシングの内部に設けられ、吸込口から吸い込まれた空気を吹出口に送る室内送風機と、吸込口を囲むようにケーシングの内部において、ケーシングの下面側から上面側に延びるように設けられ、室内送風機に空気を導入するベルマウスと、ベルマウスの下面の一部を覆うようにケーシングの下面に設けられ、箱体をなしている電気品箱と、下面が電気品箱の下面より上方に位置すると共に、電気品箱の側面からベルマウス側に突出し、電気品箱の側面に沿ってベルマウスの下部から上部に向かって流れる空気を遮る遮風部と、を備える。
【発明の効果】
【０００７】
本発明によれば、遮風部は、電気品箱の側面から、電気品箱の側面に沿って上方に流れる空気を遮るように突出している。このため、電気品箱の側面に沿って強い勢いで流れる気流は、遮風部によって勢いが抑えられつつ、ベルマウスに沿って流れる気流と合流し、吸込口に誘導される。したがって、空気調和機の運転時に発生する異常音を低減させることができる。
【図面の簡単な説明】
【０００８】
【図１】実施の形態１に係る空気調和機１００を示す回路図である。
【図２】実施の形態１に係る室内機２を示す下視図である。
【図３】実施の形態１に係る室内機２を示す下視断面図である。
【図４】実施の形態１に係るベルマウス２６及び電気品箱２７を示す下視図である。
【図５】実施の形態１の変形例に係るベルマウス２６及び電気品箱２７を示す下視図である。
【図６】実施の形態２に係る室内機１０２を示す下視図である。
【図７】実施の形態２に係るベルマウス２６及び電気品箱１２７を示す下視図である。
【図８】実施の形態２に係る電気品箱１２７を示す斜視図である。
【図９】実施の形態３に係るベルマウス２６及び電気品箱２２７を示す下視図である。
【図１０】実施の形態３に係る電気品箱２２７を示す斜視図である。
【発明を実施するための形態】
【０００９】
実施の形態１．
以下、実施の形態１に係る空気調和機１００の室内機２について、図面を参照しながら説明する。図１は、実施の形態１に係る空気調和機１００を示す回路図である。図１に示すように、空気調和機１００は、室外機１、室内機２、室外配管３及び室内配管４を有している。なお、図１では、１台の室内機２を例示しているが、室内機２の台数は、２台以上でもよい。
【００１０】
（室外機１、室内機２、室外配管３、室内配管４）
室外機１は、圧縮機１１、流路切替装置１２、室外熱交換器１３、室外送風機１４及び膨張部１５を有している。室内機２は、室内熱交換器２１及び室内送風機２２を有している。室外配管３は、流路切替装置１２、室外熱交換器１３、膨張部１５を接続するものである。また、室内配管４は、室内熱交換器２１を室外配管３に接続するものである。更に、室外配管３及び室内配管４は、内部に冷媒が流れることで冷媒回路５を構成するものである。
【００１１】
（圧縮機１１、流路切替装置１２、室外熱交換器１３、室外送風機１４、膨張部１５）
圧縮機１１は、低温且つ低圧の状態の冷媒を吸入し、吸入した冷媒を圧縮して高温且つ高圧の状態の冷媒にして吐出するものである。流路切替装置１２は、冷媒回路５において、冷媒の流通方向を切り替えるものであり、例えば四方弁である。室外熱交換器１３は、冷媒と室外空気との間で熱交換を行うものであり、例えばフィンアンドチューブ型熱交換器である。室外熱交換器１３は、冷房運転時には凝縮器として作用し、暖房運転時には蒸発器として作用する。室外送風機１４は、室外熱交換器１３に室外空気を送る機器である。膨張部１５は、冷媒を減圧して膨張させる減圧弁又は膨張弁である。
【００１２】
（室内熱交換器２１、室内送風機２２）
室内熱交換器２１は、室内空気と冷媒との間で熱交換を行うものである。室内熱交換器２１は、冷房運転時には蒸発器として作用し、暖房運転時には凝縮器として作用する。室内送風機２２は、室内熱交換器２１に室内空気を送る機器である。
【００１３】
（冷房運転）
ここで、空気調和機１００の動作について説明する。先ず、冷房運転について説明する。冷房運転において、圧縮機１１に吸入された冷媒は、圧縮機１１によって圧縮されて高温且つ高圧のガス状態で吐出される。圧縮機１１から吐出された高温且つ高圧のガス状態の冷媒は、流路切替装置１２を通過して、凝縮器として作用する室外熱交換器１３に流入する。室外熱交換器１３に流入した冷媒は、室外送風機１４によって送られる室外空気と熱交換されて凝縮し、液化する。液状態の冷媒は、膨張部１５に流入し、減圧及び膨張されて、低温且つ低圧の気液二相状態の冷媒となる。気液二相状態の冷媒は、蒸発器として作用する室内熱交換器２１に流入する。室内熱交換器２１に流入した冷媒は、室内送風機２２によって送られる室内空気と熱交換されて蒸発し、ガス化する。その際、室内空気が冷却されて室内における冷房が実施される。その後、蒸発した低温且つ低圧のガス状態の冷媒は、流路切替装置１２を通過して、圧縮機１１に吸入される。
【００１４】
（暖房運転）
次に、暖房運転について説明する。暖房運転において、圧縮機１１に吸入された冷媒は、圧縮機１１によって圧縮されて高温且つ高圧のガス状態で吐出される。圧縮機１１から吐出された高温且つ高圧のガス状態の冷媒は、流路切替装置１２を通過して、凝縮器として作用する室内熱交換器２１に流入する。室内熱交換器２１に流入した冷媒は、室内送風機２２によって送られる室内空気と熱交換されて凝縮し、液化する。その際、室内空気が温められて、室内における暖房が実施される。液状態の冷媒は、膨張部１５に流入し、減圧及び膨張されて、低温且つ低圧の気液二相状態の冷媒となる。気液二相状態の冷媒は、蒸発器として作用する室外熱交換器１３に流入する。室外熱交換器１３に流入した冷媒は、室外送風機１４によって送られる室外空気と熱交換されて蒸発し、ガス化する。その後、蒸発した低温且つ低圧のガス状態の冷媒は、流路切替装置１２を通過して、圧縮機１１に吸入される。
【００１５】
図２は、実施の形態１に係る室内機２を示す下視図である。図３は、実施の形態１に係る室内機２を示す下視断面図である。図２及び図３に示すように、室内機２は、ケーシング２３、室内熱交換器２１、室内送風機２２、風向板２４、配管接続部２５、ベルマウス２６、電気品箱２７及び制御基板２８を備える。
【００１６】
（ケーシング２３）
ケーシング２３は、室内機２の外殻を構成するものであり、例えば、金属又は樹脂で構成される。ケーシング２３は、下面が略正四角形をなしている。なお、ケーシング２３の下面は、正四角形ではなく、長方形等をなしていてもよい。ケーシング２３は、天井スラブ等から延びた支柱と接続され、室内機２を固定する。ケーシング２３には、吸込口３１及び吹出口３２が形成されている。
【００１７】
（吸込口３１、吹出口３２）
吸込口３１は、ケーシング２３の下部に形成された開口であり、室内空気を室内機２の内部に吸い込む。なお、吸込口３１は、室内機２の内部に室内空気を吸い込むことができる形状であればよい。吹出口３２は、ケーシング２３下部において、ケーシング２３の四辺に沿ってそれぞれ形成された４つの開口であり、室内機２の内部から室内に空気を吹き出す。それぞれの吹出口３２は、室内機２のそれぞれの四辺の幅方向を長辺とする略長方形をなしている。なお、吹出口３２は、室内機２の内部から空気を吹き出すことができればよく、長方形以外の形状でもよい。
【００１８】
（室内熱交換器２１、室内送風機２２）
室内熱交換器２１は、図３に示すように、配管接続部２５が設けられた一隅を除いて、室内送風機２２を囲むようにケーシング２３内部の四方に設けられる。室内送風機２２は、例えば、ターボファンであり、回転軸が上下方向に延びるようにケーシング２３内部に設けられる。室内送風機２２は、図２の矢印Ｃに示す方向に回転することで、回転面の四方に向かい空気を送り、室内熱交換器２１の熱交換を促す。なお、室内送風機２２は、矢印Ｃに示す回転方向と逆の方向に回転していてもよい。
【００１９】
（風向板２４）
風向板２４は、板状の部材であり、ケーシング２３の下部において、空気調和機１００が運転を停止している際に、それぞれの吹出口３２を覆うように１枚ずつ設けられる。なお、それぞれの吹出口３２に設けられる風向板２４の枚数は、２枚以上であってもよい。風向板２４は、空気調和機１００が運転している際に、モーター（図示せず）によって上下方向に搖動が可能であり、開度を維持したり、変化したりすることで吹出口３２から吹き出される空気の向きの上下を調整するものである。
【００２０】
（配管接続部２５）
配管接続部２５は、室外熱交換器１３を流れる冷媒を導入及び排出する室外配管３と、室内熱交換器２１を流れる冷媒を導入及び排出する室内配管４とを接続するものである。配管接続部２５は、ケーシング２３の一隅に設けられている。
【００２１】
（ベルマウス２６）
図４は、実施の形態１に係るベルマウス２６及び電気品箱２７を示す下視図である。図４に示すように、ベルマウス２６は、中心に開口が形成された筒状であり、下部から上部に向かって縮径されたベル形をなしている。ベルマウス２６は、ケーシング２３の下面に設けられ、室内送風機２２に空気を導入するものである。
【００２２】
（電気品箱２７）
電気品箱２７は、略直方体状の箱体をなしており、制御基板２８や配線（図示せず）等を格納するものである。電気品箱２７は、ケーシング２３の下面において、ベルマウス２６の下面の一部を覆うように設けられる。電気品箱２７は、箱本体４１及び蓋部４２によって構成され、遮風部４４を有している。箱本体４１は、天面と、側面のうち、吸込口３１に対向する一面である対向面４３と、その他の３つの側面とで構成されている。蓋部４２は、箱本体４１の下方を覆い、電気品箱２７の下面を構成する。蓋部４２は、電気品箱２７に格納されている制御基板２８や配線等を埃等から保護する。また、蓋部４２は、箱本体４１に格納された制御基板２８を室内側から隠すことで、室内機２の外観を向上させる。なお、電気品箱２７は、ケーシング２３の下面に２つ設けられているが、１つ又は３つ以上設けられていてもよい。なお、電気品箱２７は、制御基板２８が収納されずに、端子台又は配線等が収納されるものでもよい。
【００２３】
（遮風部４４）
遮風部４４は、板状の部材であり、対向面４３において、対向面４３に沿ってベルマウス２６方向に流れる空気を遮るように設けられる。遮風部４４の下面は、電気品箱２７の下面より上方に位置する。また、遮風部４４は、電気品箱２７において、室内送風機２２の回転方向の上流側に設けられる。なお、遮風部４４は、電気品箱２７の寸法及び電気品箱２７がベルマウス２６を覆う位置によって、対向面４３以外の側面に設けられていてもよい。
【００２４】
ここで、室内機２の動作について説明する。先ず、室内送風機２２が回転し、ケーシング２３内部の空気は、室内送風機２２を囲むように設けられた室内熱交換器２１に送られ、冷媒との間で熱交換される。次に、熱交換された空気は、ケーシング２３の四方に形成された吹出口３２から吹き出される。この際、室内機２内部の空気が負圧になるため、吸込口３１から室内空気が吸い込まれる。この時、電気品箱２７の側面には、電気品箱２７の側面に沿って強い勢いで流れる気流が生じる。また、ここで、遮風部４４の下面は、電気品箱２７の下面より上方に位置している。即ち、電気品箱２７と遮風部４４とは、段差のある構造をなしている。したがって、電気品箱２７の側面に沿って強い勢いで流れる気流は、遮風部４４に衝突し、勢いが抑えられる。
【００２５】
（制御基板２８）
制御基板２８は、室内機２の制御に係る電子部品が搭載された基板である。制御基板２８は、電気品箱２７の内部に格納されている。概して、制御基板２８は、電気品箱２７の形状に合わせて形成される。このため、電気品箱２７がＬ字形状であるような場合、制御基板２８も電気品箱２７と併せてＬ字形状に形成される。概して、Ｌ字形状の制御基板２８は汎用性が低く、製造コスト又は管理コスト等が高い。また、Ｌ字形状の制御基板２８は、一部が突出している形状のため、電気品箱２７からの着脱を伴うようなメンテナンスなどを行う際に、作業性が低下する虞がある。
【００２６】
一方、本実施の形態１に係る制御基板２８は、略直方体状の箱形をした電気品箱２７に合わせて、長方形をなしている。したがって、本実施の形態１に係る制御基板２８は、汎用性が高く、他の電気品箱２７からの転用が可能であるため、製造コスト又は管理コスト等が高くなることを抑えることができる。また、本実施の形態１に係る制御基板２８は、凸部を有しない形状であるため、電気品箱２７からの着脱を伴うようなメンテナンスなどを行う際に、電気品箱２７とのクリアランスが確保され易く、作業性が高い。
【００２７】
本実施の形態１によれば、電気品箱２７の側面には、下面が電気品箱２７の下面より上方に位置する遮風部４４が設けられている。このため、空気調和機１００の運転時において、電気品箱２７に沿って強い勢いで流れる気流は、遮風部４４によって勢いが抑えられつつ、ベルマウス２６に沿って流れる気流と合流し、吸込口３１に誘導される。したがって、空気調和機１００の運転時に発生する異常音を低減させることができる。
【００２８】
また、本実施の形態１によれば、遮風部４４は、電気品箱２７において、室内送風機２２の回転方向の上流側に設けられる。概して、ベルマウス２６に沿って流れる気流は、上流側の向きが室内送風機２２の回転方向と一致することで、下流側の勢いよりも上流側の勢いが強くなっている。このため、電気品箱２７の側面に沿って流れる気流は、上流側において特に、ベルマウス２６に沿って流れる気流と激しく合流し、異常音が発生し易い。遮風部４４は、電気品箱２７において、室内送風機２２の回転方向の上流側に設けられることで、異常音を効果的に低減させることができる。
【００２９】
また、更に、本実施の形態１によれば、電気品箱２７は、複数設けられている。この際、遮風部４４は、それぞれの電気品箱２７の側面において、下面が電気品箱２７の下面より上方に位置するように設けられている。なお、遮風部４４は、選択された電気品箱２７のみに設けられてもよい。この場合も、遮風部４４が設けられた電気品箱２７に沿って強い勢いで流れる気流は、遮風部４４によって勢いが抑えられつつ、ベルマウス２６に沿って流れる気流と合流し、吸込口３１に誘導される。したがって、空気調和機１００の運転時に発生する異常音を低減させることができる。
【００３０】
図５は、実施の形態１の変形例に係るベルマウス２６及び電気品箱２７を示す下視図である。実施の形態１に係る遮風部４４の幅は、ベルマウス２６の縁を覆うだけの長さであったが、図５に示すように、実施の形態１の変形例に係る遮風部４４の幅は、ベルマウス２６の縁に加えて、ベルマウス２６の縁以外の部分をも覆うような長さである。この場合も、電気品箱２７に沿って強い勢いで流れる気流は、遮風部４４によって勢いが抑えられつつ、ベルマウス２６に沿って流れる気流と合流し、吸込口３１に誘導される。したがって、空気調和機１００の運転時に発生する異常音を低減させることができる。
【００３１】
実施の形態２．
図６は、実施の形態２に係る室内機１０２を示す下視図である。図７は、実施の形態２に係るベルマウス２６及び電気品箱１２７を示す下視図である。図８は、実施の形態２に係る電気品箱１２７を示す斜視図である。図６、図７及び図８に示すように、本実施の形態２は、電気品箱１２７が固定具１４５を有する点で実施の形態１と相違する。本実施の形態２では、実施の形態１と同一の部分は同一の符合を付して説明を省略し、実施の形態１との相違点を中心に説明する。
【００３２】
（電気品箱１２７、箱本体１４１、対向面１４３、固定具１４５）
電気品箱１２７の箱本体１４１は、天面と、側面のうち、吸込口３１に対向する一面である対向面１４３と、その他の３つの側面とで構成される。固定具１４５は、対向面１４３に設けられ、電気品箱１２７の蓋部４２を箱本体１４１にねじによって固定するものである。固定具１４５は、上下方向において、下面が電気品箱１２７の下面より上方に位置すると共に、遮風部４４の下面より下方に位置している。また、固定具１４５は、側方において、固定具１４５の吸込口３１に近い側の端部が、遮風部４４の吸込口３１に近い側の端部より吸込口３１から離れる方向に位置する。即ち、固定具１４５と遮風部４４とは、固定具１４５を遮風部４４の外側とした階段状の外観を呈する。更に、固定具１４５は、遮風部４４と上下方向に対向している。なお、固定具１４５は、遮風部４４が対向面１４３以外の側面に設けられている場合、同様に対向面１４３以外の側面に設けられてもよい。
【００３３】
本実施の形態２によれば、固定具１４５は、上下方向において、下面が電気品箱１２７の下面より上方に位置すると共に、遮風部４４の下面より下方に位置している。また、固定具１４５は、側方において、固定具１４５の吸込口３１に近い側の端部が、遮風部４４の吸込口３１に近い側の端部より吸込口３１から離れる方向に位置する。このため、空気調和機２００の運転時において、電気品箱１２７に沿って強い勢いで流れる気流は、先ず、固定具１４５に衝突し、勢いが抑えられる。次に、固定具１４５に衝突した気流は、ベルマウス２６に沿って流れる気流と合流しつつ、遮風部４４に衝突し、更に勢いが抑えられる。即ち、電気品箱１２７に沿って強い勢いで流れる気流は、固定具１４５及び遮風部４４によって段階的に勢いが抑えられつつ、ベルマウス２６に沿って流れる気流と合流し、吸込口３１に誘導される。したがって、空気調和機２００の運転時に発生する異常音をより低減させることができる。
【００３４】
また、更に、本実施の形態２によれば、固定具１４５は遮風部４４と上下方向において対向している。このため、固定具１４５と遮風部４４との水平方向の隙間に空気が流入しない。即ち、電気品箱１２７に沿って強い勢いで流れる気流のうち、より多くの気流が固定具１４５及び遮風部４４によって、段階的に勢いが抑えられつつ、ベルマウス２６に沿って流れる気流と合流し、吸込口３１に誘導される。したがって、空気調和機２００の運転時に発生する異常音を更に低減させることができる。
【００３５】
実施の形態３．
図９は、実施の形態３に係るベルマウス２６及び電気品箱２２７を示す下視図である。図１０は、実施の形態３に係る電気品箱２２７を示す斜視図である。図９及び図１０に示すように、本実施の形態３は、温度検知部カバー２４７は、遮風部である点で実施の形態２と相違する。本実施の形態３では、実施の形態２と同一の部分は同一の符合を付して説明を省略し、実施の形態２との相違点を中心に説明する。
【００３６】
（電気品箱２２７、箱本体２４１、対向面２４３、温度検知部２４６、温度検知部カバー２４７）
電気品箱２２７の箱本体２４１は、天面と、側面のうち、吸込口３１に対向する一面である対向面２４３と、その他の３つの側面とで構成される。また、電気品箱２２７は、温度検知部２４６を有する。温度検知部２４６は、室内空気の温度を検知するものである。温度検知部カバー２４７は、温度検知部２４６の位置ずれを防ぎ、温度検知部２４６が温度を正確に検知できるようにするものである。
【００３７】
本実施の形態３において、温度検知部カバー２４７は、対向面２４３において、対向面２４３に沿ってベルマウス２６方向に流れる空気を遮るように設けられ、下面が電気品箱２２７の下面より上方に位置する。また、温度検知部カバー２４７は、電気品箱２２７において、室内送風機２２の回転方向の上流側に設けられる。即ち、温度検知部カバー２４７は、実施の形態２における遮風部４４として機能する。
【００３８】
本実施の形態３によれば、温度検知部カバー２４７は、遮風部である。このため、従来供されてきた部品を用いて、実施の形態２と同様の作用を発生させることができる。即ち、空気調和機３００の運転時において、電気品箱２２７に沿って強い勢いで流れる気流は、固定具１４５及び遮風部である温度検知部カバー２４７によって、段階的に勢いが抑えられつつ、ベルマウス２６に沿って流れる気流と合流し、吸込口３１に誘導される。したがって、部品点数が増加しないことにより、コストを抑えつつ、空気調和機３００の運転時に発生する異常音をより低減させることができる。
【符号の説明】
【００３９】
１  室外機、２  室内機、３  室外配管、４  室内配管、５  冷媒回路、１１  圧縮機、１２  流路切替装置、１３  室外熱交換器、１４  室外送風機、１５  膨張部、２１  室内熱交換器、２２  室内送風機、２３  ケーシング、２４  風向板、２５  配管接続部、２６  ベルマウス、２７  電気品箱、２８  制御基板、３１  吸込口、３２  吹出口、４１  箱本体、４２  蓋部、４３  対向面、４４  遮風部、１００  空気調和機、１０２  室内機、１２７  電気品箱、１４１  箱本体、１４３  対向面、１４５  固定具、２００  空気調和機、２２７  電気品箱、２４１  箱本体、２４３  対向面、２４６  温度検知部、２４７  温度検知部カバー、３００  空気調和機。
【図１】
2021014562.tif 000003
【図２】
2021014562.tif 000004
【図３】
2021014562.tif 000005
【図４】
2021014562.tif 000006
【図５】
2021014562.tif 000007
【図６】
2021014562.tif 000008
【図７】
2021014562.tif 000009
【図８】
2021014562.tif 000010
【図９】
2021014562.tif 000011
【図１０】
2021014562.tif 000012
【手続補正書】
【提出日】令和3年8月6日(2021.8.6)
【手続補正１】
【補正対象書類名】明細書
【補正対象項目名】０００６
【補正方法】変更
【補正の内容】
【０００６】
本発明に係る空気調和機の室内機は、天井に備え付けられ、空気を吸い込む吸込口及び空気を吹き出す吹出口が下面に形成されたケーシングと、ケーシングの内部に設けられ、吸込口から吸い込まれた空気を吹出口に送る室内送風機と、吸込口を囲むようにケーシングの内部において、ケーシングの下面側から上面側に延びるように設けられ、室内送風機に空気を導入するベルマウスと、ベルマウスの下面の一部を覆うようにケーシングの下面に設けられ、箱体をなしている電気品箱と、電気品箱と段差をなすように、下面が電気品箱の下面より上方に位置すると共に、ベルマウスにおいて、ベルマウスに沿って空気が流れる部分を覆うように電気品箱の側面からベルマウス側に突出し、電気品箱の側面に沿ってベルマウスの下部から上部に向かって流れる空気を遮る遮風部と、を備える。
【手続補正２】
【補正対象書類名】特許請求の範囲
【補正対象項目名】全文
【補正方法】変更
【補正の内容】
【特許請求の範囲】
【請求項１】
天井に備え付けられ、空気を吸い込む吸込口及び空気を吹き出す吹出口が下面に形成されたケーシングと、
前記ケーシングの内部に設けられ、前記吸込口から吸い込まれた空気を前記吹出口に送る室内送風機と、
前記吸込口を囲むように前記ケーシングの内部において、前記ケーシングの下面側から上面側に延びるように設けられ、前記室内送風機に空気を導入するベルマウスと、
前記ベルマウスの下面の一部を覆うように前記ケーシングの下面に設けられ、箱体をなしている電気品箱と、
前記電気品箱と段差をなすように、下面が前記電気品箱の下面より上方に位置すると共に、前記ベルマウスにおいて、前記ベルマウスに沿って空気が流れる部分を覆うように前記電気品箱の側面から前記ベルマウス側に突出し、前記電気品箱の側面に沿って前記ベルマウスの下部から上部に向かって流れる空気を遮る遮風部と、を備える
空気調和機の室内機。
【請求項２】
前記遮風部は、
前記電気品箱において、前記室内送風機の回転方向の上流側に設けられる
請求項１記載の空気調和機の室内機。
【請求項３】
前記電気品箱は、
箱本体と、
前記箱本体に蓋をする蓋部と、
前記箱本体と前記蓋部とを固定する固定具と、を有し、
前記固定具と前記遮風部とは、
上下方向において、前記固定具の下面が、前記電気品箱の下面より上方に位置すると共に、前記遮風部の下面より下方に位置し、側方において、前記固定具の前記吸込口に近い側の端部が、前記遮風部の前記吸込口に近い側の端部より前記吸込口から離れる方向に位置する
請求項１又は請求項２記載の空気調和機の室内機。
【請求項４】
前記固定具は、
前記遮風部と上下方向において対向する
請求項３記載の空気調和機の室内機。
【請求項５】
前記電気品箱は、
室内空気の温度を検知する温度検知部と、
前記温度検知部を覆う温度検知部カバーと、を更に備え、
前記温度検知部カバーは、
前記遮風部である
請求項１〜請求項４のいずれか１項に記載の空気調和機の室内機。
【請求項６】
前記ケーシングには、
前記電気品箱が複数設けられている
請求項１〜請求項５のいずれか１項に記載の空気調和機の室内機。
【国際調査報告】
2021014562.tif 000013
2021014562.tif 000014
2021014562.tif 000015
2021014562.tif 000016